(57)【要約】  本発明の実施形態は通信分野に関し、分岐タワーマウントアンプおよびアンテナ給電システムを提供する。それにより分岐タワーマウントアンプがアンテナユニット側に追加され、その結果、４ポートＲＲＵの機能が実装され、ネットワークカバレッジが確保され、ネットワーク性能が向上する。分岐タワーマウントアンプは、第１のフィルタモジュール、第２のフィルタモジュール、第１の増幅モジュール、第２の増幅モジュール、制御モジュール、第１の分岐モジュール、および第２の分岐モジュールを備える。第１のフィルタモジュールは、第１の増幅モジュールに接続される。第１の増幅モジュールは、制御モジュールに接続される。制御モジュールは、第２の増幅モジュールに接続される。第２の増幅モジュールは、第２のフィルタモジュールに接続される。第１の分岐モジュールは、第１のフィルタモジュールおよび第１の増幅モジュールの両方に接続され、第２の分岐モジュールは、第２のフィルタモジュールおよび第２の増幅モジュールの両方に接続される。第１の分岐モジュールおよび第２の分岐モジュールはどちらも、信号を送信するよう構成される。
2020503770.tif 000002
【特許請求の範囲】
【請求項１】
分岐タワーマウントアンプであって、
前記分岐タワーマウントアンプは、第１のフィルタモジュール、第２のフィルタモジュール、第１の増幅モジュール、第２の増幅モジュール、および制御モジュールを備え、前記第１のフィルタモジュールは、前記第１の増幅モジュールに接続され、前記第１の増幅モジュールは、前記制御モジュールに接続され、前記制御モジュールは、前記第２の増幅モジュールに接続され、前記第２の増幅モジュールは、前記第２のフィルタモジュールに接続され、
前記分岐タワーマウントアンプは、
前記第１のフィルタモジュールおよび前記第１の増幅モジュールの両方に接続された第１の分岐モジュールと、前記第２のフィルタモジュールおよび前記第２の増幅モジュールの両方に接続された第２の分岐モジュールとをさらに備え、
前記第１の分岐モジュールおよび前記第２の分岐モジュールはどちらも、信号を送信するよう構成される、
分岐タワーマウントアンプ。
【請求項２】
前記第１のフィルタモジュールは、第１の送信フィルタ、第１の受信フロントエンドフィルタ、および第１の受信バックエンドフィルタを有し、前記第１の送信フィルタの一端は前記第１の受信フロントエンドフィルタの一端に接続され、前記第１の受信バックエンドフィルタの一端は、前記第１の送信フィルタの他端に接続され、
前記第１の増幅モジュールは、第１の低ノイズアンプを有し、前記第１の低ノイズアンプの第１端は、前記第１の受信フロントエンドフィルタの他端に接続され、前記第１の低ノイズアンプの第２端は、前記第１の受信バックエンドフィルタの他端に接続され、
前記第２のフィルタモジュールは、第２の送信フィルタ、第２の受信フロントエンドフィルタ、および第２の受信バックエンドフィルタを有し、前記第２の送信フィルタの一端は、前記第２の受信フロントエンドフィルタの一端に接続され、前記第２の受信バックエンドフィルタの一端は、前記第２の送信フィルタの他端に接続され、
前記第２の増幅モジュールは、第２の低ノイズアンプを有し、前記第２の低ノイズアンプの第１端は、前記第２の受信フロントエンドフィルタの他端に接続され、前記第２の低ノイズアンプの第２端は、前記第２の受信バックエンドフィルタの他端に接続され、
前記制御モジュールは、前記第１の低ノイズアンプの第３端および前記第２の低ノイズアンプの第３端の両方に接続される、
請求項１に記載の分岐タワーマウントアンプ。
【請求項３】
前記第１の分岐モジュールは、信号送信用の一経路であり、前記第２の分岐モジュールは、信号送信用の別の経路である、
請求項１または２に記載の分岐タワーマウントアンプ。
【請求項４】
前記第１の低ノイズアンプの前記第１端は、前記第１の低ノイズアンプの前記第２端に接続され、前記第２の低ノイズアンプの前記第１端は、前記第２の低ノイズアンプの前記第２端に接続される、
請求項２または３に記載の分岐タワーマウントアンプ。
【請求項５】
アンテナ給電システムであって、前記アンテナ給電システムは、４つのポートを備えたアンテナユニットと、第１の無線遠隔ユニットＲＲＵと、前記アンテナユニットに接続された第２のＲＲＵと、前記アンテナユニット、前記第１のＲＲＵ、および前記第２のＲＲＵの各々に接続された、請求項１から４のいずれか一項に記載の分岐タワーマウントアンプとを備え、前記第１のＲＲＵは２つのポートを有し、前記第２のＲＲＵは４つのポートを有する、
アンテナ給電システム。
【請求項６】
前記第１のＲＲＵの第１のポートは、前記分岐タワーマウントアンプの第１のフィルタモジュールに接続され、前記第１のＲＲＵの第２のポートは、前記分岐タワーマウントアンプの第２のフィルタモジュールに接続され、前記第２のＲＲＵの第１のポートは、前記アンテナユニットの第１のポートに接続され、前記第２のＲＲＵの第２のポートは、前記アンテナユニットの第２のポートに接続され、前記アンテナユニットの第３のポートは、前記分岐タワーマウントアンプの前記第１のフィルタモジュールに接続され、前記アンテナユニットの第４のポートは、前記分岐タワーマウントアンプの前記第２のフィルタモジュールに接続され、前記分岐タワーマウントアンプの第１の分岐モジュールは、前記第２のＲＲＵの第３のポートに接続され、前記分岐タワーマウントアンプの第２の分岐モジュールは、前記第２のＲＲＵの第４のポートに接続される、
請求項５に記載のアンテナ給電システム。
【請求項７】
前記第２のＲＲＵがさらに前記分岐タワーマウントアンプの制御モジュールに接続されて、前記分岐タワーマウントアンプに電力が供給される、
請求項６に記載のアンテナ給電システム。
【請求項８】
前記アンテナ給電システムは、スマートバイアスティＳＢＴをさらに備え、
前記第１のＲＲＵの第１のポートは、前記分岐タワーマウントアンプの第１のフィルタモジュールに接続され、前記第１のＲＲＵの第２のポートは、前記分岐タワーマウントアンプの第２のフィルタモジュールに接続され、前記第２のＲＲＵの第１のポートは、前記アンテナユニットの第１のポートに接続され、前記第２のＲＲＵの第２のポートは、前記ＳＢＴの一端に接続され、前記ＳＢＴの他端は、前記アンテナユニットの第２のポートに接続され、前記アンテナユニットの第３のポートは、前記分岐タワーマウントアンプの前記第１のフィルタモジュールに接続され、前記アンテナユニットの第４のポートは、前記分岐タワーマウントアンプの前記第２のフィルタモジュールに接続され、前記分岐タワーマウントアンプの第１の分岐モジュールは、前記第２のＲＲＵの第３のポートに接続され、前記分岐タワーマウントアンプの第２の分岐モジュールは、前記第２のＲＲＵの第４のポートに接続される、
請求項５に記載のアンテナ給電システム。
【請求項９】
前記ＳＢＴがさらに前記分岐タワーマウントアンプの制御モジュールに接続されて、前記分岐タワーマウントアンプに電力が供給される、
請求項８に記載のアンテナ給電システム。
【発明の詳細な説明】
【技術分野】
【０００１】
本発明の実施形態は、通信分野に関し、特には、分岐タワーマウントアンプおよびアンテナ給電システムに関する。
【背景技術】
【０００２】
通信技術が絶え間なく発展するにつれて、通信ネットワークは、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））ネットワークから、符号分割多重アクセス（Ｃｏｄｅ  Ｄｉｖｉｓｉｏｎ  Ｍｕｌｔｉｐｌｅ  Ａｃｃｅｓ、ＣＤＭＡ）ネットワーク、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ（登録商標））ネットワーク、汎用パケット無線サービス（Ｇｅｎｅｒａｌ  Ｐａｃｋｅｔ  Ｒａｄｉｏ  Ｓｅｒｖｉｃｅ、ＧＰＲＳ）ネットワーク、ロングタームエボリューション（Ｌｏｎｇ  Ｔｅｒｍ  Ｅｖｏｌｕｔｉｏｎ、ＬＴＥ）ネットワーク、および、ユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）ネットワークなどへのいくつかの世代にわたるネットワーク変換を経てきた。ネットワーク変換の過程においては、現世代のネットワークおよび次世代のネットワークが共存することがある。例えば、ＣＤＭＡネットワークからＬＴＥネットワークへの移行過程において、ＣＤＭＡネットワークの無線周波数モジュールはＬＴＥネットワークをサポートしないので、ネットワークの配置中は、ＣＤＭＡネットワーク用およびＬＴＥネットワーク用として別々に無線周波数モジュール（例えば、無線遠隔ユニット（Ｒａｄｉｏ  Ｒｅｍｏｔｅ  Ｕｎｉｔ、ＲＲＵ））を配置する必要がある。
【０００３】
例として、アンテナ給電システムのアップリンクカバレッジを使用する。図１は、ＣＤＭＡネットワークおよびＬＴＥネットワーク用に配置されたアンテナ給電システムの概略図である。ＣＤＭＡネットワークおよびＬＴＥネットワークは、４ポートアンテナユニットを共有する。ＣＤＭＡネットワークは、２つのポート（例えば、２つの送信ポートおよび２つの受信ポート（２Ｔ２Ｒ）、または、１つの送信ポートおよび２つの受信ポート（１Ｔ２Ｒ））を備えたＲＲＵ（図１ではＲＲＵ１で表される）を使用する。ＬＴＥネットワークは、４つのポート（例えば、２つの送信ポートおよび４つの受信ポート（２Ｔ４Ｒ））を備えたＲＲＵ（図１ではＲＲＵ２で表される）を使用する。図１から分かるように、ＲＲＵ１の２つのポートが４ポートアンテナユニットの２つのポートに接続され、ＲＲＵ２の２つのポートが、４ポートアンテナユニットの他の２つのポートに接続される。したがって、ＬＴＥネットワークで使用される２Ｔ４Ｒ  ＲＲＵ２は、実際には単に２Ｔ２Ｒ  ＲＲＵとして機能する。これによってＲＲＵ２の価値を大きく下げ、リソースが無駄になる。先述の課題を解決するべく、図１に関連して、図２は、ＣＤＭＡネットワークおよびＬＴＥネットワーク用に配置された別のアンテナ給電システムの概略図である。アンテナユニット側に２つの結合器が追加されることにより、結合することによってＬＴＥネットワークの２Ｔ４Ｒ  ＲＲＵ２の機能を実装することができる。
【０００４】
しかしながら、結合器は通常、３デシベル（ｄＢ）のブリッジまたは帯域幅カプラなので、アンテナユニット側に２つの結合器を追加すると、ＣＤＭＡネットワークおよびＬＴＥネットワークに少なくとも３ｄＢの挿入損失をもたらす場合がある。これによって、ＣＤＭＡネットワークおよびＬＴＥネットワークのカバレッジが影響を受ける。
【発明の概要】
【０００５】
本発明の実施形態は、分岐タワーマウントアンプおよびアンテナ給電システムを提供する。それにより分岐タワーマウントアンプがアンテナユニット側に追加され、その結果、４ポートＲＲＵの機能が実装され、ネットワークカバレッジが確保され、ネットワーク性能が向上する。
【０００６】
先述の目的を達成するべく、本発明の実施形態において以下の技術的解決手段が使用される。
【０００７】
第１態様によると、本発明の実施形態は、分岐タワーマウントアンプを提供する。分岐タワーマウントアンプは、第１のフィルタモジュール、第２のフィルタモジュール、第１の増幅モジュール、第２の増幅モジュール、制御モジュール、第１の分岐モジュール、および第２の分岐モジュールを備える。第１のフィルタモジュールは、第１の増幅モジュールに接続される。第１の増幅モジュールは、制御モジュールに接続される。制御モジュールは、第２の増幅モジュールに接続される。第２の増幅モジュールは、第２のフィルタモジュールに接続される。第１の分岐モジュールは、第１のフィルタモジュールおよび第１の増幅モジュールの両方に接続され、第２の分岐モジュールは、第２のフィルタモジュールおよび第２の増幅モジュールの両方に接続される。第１の分岐モジュールおよび第２の分岐モジュールは、どちらも信号を送信するよう構成される。既存のタワーマウントアンプを基にして、受信信号を送信するよう構成される第１の分岐モジュールおよび第２の分岐モジュールが、本発明のこの実施形態において提供される分岐タワーマウントアンプに追加されることが分かる。したがって、ＣＤＭＡネットワークおよびＬＴＥネットワーク用に共通に配置されたアンテナ給電システムに当該タワーマウントアンプが適用されるとき、分岐タワーマウントアンプの第１の分岐モジュールおよび第２の分岐モジュールは、ＬＴＥネットワークにおいて使用される４ポートＲＲＵの、元々は使用されていない２つのポートに接続されてよく、それによって、ＬＴＥネットワークにおいて使用される４ポートＲＲＵの全てのポートが受信機能および／または送信機能を実装することができる。加えて、本発明のこの実施形態において提供される分岐タワーマウントアンプでは、受信信号はまず増幅され、その後分割されるので、アンテナ給電システムに余計な挿入損失をもたらさない。これによって、ネットワークカバレッジが確保され、ネットワーク性能が向上する。
【０００８】
第１態様の任意選択的な第１の実装例において、第１のフィルタモジュールは、第１の送信フィルタ、第１の受信フロントエンドフィルタ、および第１の受信バックエンドフィルタを有する。第１の送信フィルタの一端は、第１の受信フロントエンドフィルタの一端に接続される。第１の受信バックエンドフィルタの一端は、第１の送信フィルタの他端に接続される。第１の増幅モジュールは、第１の低ノイズアンプを有する。第１の低ノイズアンプの第１端は、第１の受信フロントエンドフィルタの他端に接続され、第１の低ノイズアンプの第２端は、第１の受信バックエンドフィルタの他端に接続される。第２のフィルタモジュールは、第２の送信フィルタ、第２の受信フロントエンドフィルタ、および第２の受信バックエンドフィルタを有する。第２の送信フィルタの一端は、第２の受信フロントエンドフィルタの一端に接続される。第２の受信バックエンドフィルタの一端は、第２の送信フィルタの他端に接続される。第２の増幅モジュールは、第２の低ノイズアンプを有する。第２の低ノイズアンプの第１端は、第２の受信フロントエンドフィルタの他端に接続され、第２の低ノイズアンプの第２端は、第２の受信バックエンドフィルタの他端に接続される。制御モジュールは、第１の低ノイズアンプの第３端と、第２の低ノイズアンプの第３端との両方に接続される。
【０００９】
第１態様の任意選択的な第２の実装例において、第１の分岐モジュールは、信号送信用の一経路であり、第２の分岐モジュールは、信号送信用の別の経路である。
【００１０】
第１態様の任意選択的な第３の実装例において、第１の低ノイズアンプの第１端は、第１の低ノイズアンプの第２端に接続され、第２の低ノイズアンプの第１端は、第２の低ノイズアンプの第２端に接続される。このようにして、第１の低ノイズアンプおよび／または第２の低ノイズアンプが故障した場合であっても、本発明のこの実施形態において提供される分岐タワーマウントアンプは適切に動作でき、それによりネットワークシステムの安定性が確保される。
【００１１】
第２態様によると、本発明の実施形態は、アンテナ給電システムをさらに提供する。アンテナ給電システムは、４つのポートを備えたアンテナユニットと、第１の無線遠隔ユニットＲＲＵと、アンテナユニットに接続された第２のＲＲＵと、第１態様の特徴のいずれか１つを有し、かつ、アンテナユニット、第１のＲＲＵ、および第２のＲＲＵの各々に接続された分岐タワーマウントアンプとを備える。第１のＲＲＵは２つのポートを有し、第２のＲＲＵは４つのポートを有する。
【００１２】
第２態様の任意選択的な第１の実装例において、第１のＲＲＵの第１のポートは、分岐タワーマウントアンプの第１のフィルタモジュールに接続され、第１のＲＲＵの第２のポートは、分岐タワーマウントアンプの第２のフィルタモジュールに接続され、第２のＲＲＵの第１のポートは、アンテナユニットの第１のポートに接続され、第２のＲＲＵの第２のポートは、アンテナユニットの第２のポートに接続され、アンテナユニットの第３のポートは、分岐タワーマウントアンプの第１のフィルタモジュールに接続され、アンテナユニットの第４のポートは、分岐タワーマウントアンプの第２のフィルタモジュールに接続され、分岐タワーマウントアンプの第１の分岐モジュールは、第２のＲＲＵの第３のポートに接続され、分岐タワーマウントアンプの第２の分岐モジュールは、第２のＲＲＵの第４のポートに接続される。
【００１３】
第２態様の任意選択的な第２の実装例において、第２のＲＲＵはさらに分岐タワーマウントアンプの制御モジュールに接続されて、電力が分岐タワーマウントアンプに供給される。
【００１４】
第２態様の任意選択的な第３の実装例において、アンテナ給電システムは、スマートバイアスティＳＢＴをさらに備え、第１のＲＲＵの第１のポートは、分岐タワーマウントアンプの第１のフィルタモジュールに接続され、第１のＲＲＵの第２のポートは、分岐タワーマウントアンプの第２のフィルタモジュールに接続され、第２のＲＲＵの第１のポートは、アンテナユニットの第１のポートに接続され、第２のＲＲＵの第２のポートは、ＳＢＴの一端に接続され、ＳＢＴの他端は、アンテナユニットの第２のポートに接続され、アンテナユニットの第３のポートは、分岐タワーマウントアンプの第１のフィルタモジュールに接続され、アンテナユニットの第４のポートは、分岐タワーマウントアンプの第２のフィルタモジュールに接続され、分岐タワーマウントアンプの第１の分岐モジュールは、第２のＲＲＵの第３のポートに接続され、分岐タワーマウントアンプの第２の分岐モジュールは、第２のＲＲＵの第４のポートに接続される。
【００１５】
第２態様の任意選択的な第４の実装例において、ＳＢＴはさらに分岐タワーマウントアンプの制御モジュールに接続されて、電力が分岐タワーマウントアンプに供給される。
【００１６】
本発明の実施形態の第２態様および第２態様の様々な実装例についての具体的な説明は、第１態様および第１態様の様々な実装例についての詳細な説明を参照されたい。加えて、第２態様および第２態様の様々な実装例の有益な効果については、第１態様および第１態様の様々な実装例における有益な効果の解析を参照されたい。ここでは再度詳細は説明しない。
【００１７】
本発明の実施形態において、先述の分岐タワーマウントアンプおよびアンテナ給電システムという名称が、デバイスまたは機能モジュールに対する限定となることはない。実際の実装例では、これらのデバイスまたは機能モジュールは他の名称で見られてよい。デバイスまたは機能モジュールの機能が本発明の実施形態のものと同様であるならば、デバイスまたは機能モジュールは、本発明の請求項に記載の範囲およびその均等技術の範囲に含まれる。
【００１８】
本発明の実施形態のこれらの態様または他の態様が、以下の説明においてより簡潔かつ分かり易く記載される。
【図面の簡単な説明】
【００１９】
【図１】本発明の実施形態に係る、ＣＤＭＡネットワークおよびＬＴＥネットワーク用に配置されたアンテナ給電システムの概略図である。
【００２０】
【図２】本発明の実施形態に係る、ＣＤＭＡネットワークおよびＬＴＥネットワーク用に配置された別のアンテナ給電システムの概略図である。
【００２１】
【図３】本発明の実施形態に係る分岐タワーマウントアンプの概略構造図１である。
【００２２】
【図４】本発明の実施形態に係る分岐タワーマウントアンプの概略構造図２である。
【００２３】
【図５】本発明の実施形態に係る分岐タワーマウントアンプの概略構造図３である。
【００２４】
【図６】本発明の実施形態に係るアンテナ給電システムの概略構造図１である。
【００２５】
【図７】本発明の実施形態に係る、分岐タワーマウントアンプとＲＲＵおよびアンテナユニットとの間の局所的接続の図である。
【００２６】
【図８】本発明の実施形態に係るアンテナ給電システムの概略構造図２である。
【発明を実施するための形態】
【００２７】
以下の説明では、本出願の十分な理解を促すべく、限定ではなく例示を目的として、特定のシステム構造などの具体的な詳細を提供する。しかしながら、本出願はまた、これらの具体的な詳細なくしても他の実施形態で実装され得ることを当業者は理解しているはずである。他の場合では、不必要な詳細が妨げとなることなく本出願が説明されるよう、周知の構造および方法の詳細な説明は省略する。
【００２８】
加えて、本出願の明細書、特許請求の範囲、および添付の図面における用語「含む」、「備える」、およびそれらのあらゆる変化形は、非限定的な含有を含むことが意図されている。例えば、一連の段階もしくはユニットを含むプロセス、方法、システム、製品、もしくはデバイスは、記載された段階もしくはユニットに限定されるのではなく、任意で、記載されていない段階もしくはユニットをさらに含み、または、任意で、プロセス、方法、製品、もしくはデバイスの別の固有の段階もしくはユニットをさらに含む。
【００２９】
さらに、本出願の実施形態における「および／または」という用語は、関連する対象物間の関連関係のみを説明し、３つの関係が存在し得ることを表す。例えば、Ａおよび／またはＢは、Ａのみ存在、ＡおよびＢの両方が存在、ならびに、Ｂのみ存在という３つの場合を表し得る。加えて、本明細書における「／」の文字は、通常、関連する対象物間の「または」の関係を示す。
【００３０】
加えて、本発明の明細書、特許請求の範囲、添付の図面において、「第１」、「第２」、「第３」、「第４」などの用語は、異なる対象物を区別することが意図されているのであって、特定の順序を示しているわけではない。本発明の実施形態において記載される「上」、「下」、「左」、「右」は、添付の図面に関連して本発明の実施形態を説明するために使用されているに過ぎず、限定として使用されているのではない。
【００３１】
本発明の実施形態において提供される技術的解決手段は、様々な通信システムにおけるネットワーク配置に適用されてよく、ネットワーク変換の過程において現世代のネットワークおよび次世代のネットワークが共存し得るシナリオに特に適切である。
【００３２】
本発明の実施形態の理解の一助となるよう、ここでまず本発明の実施形態で言及する関連要素を説明する。
【００３３】
本発明の実施形態で言及する２ポートＲＲＵは、２つのポートを備えたＲＲＵ、例えば、２Ｔ２Ｒ  ＲＲＵまたは１Ｔ２Ｒ  ＲＲＵである。同様に、本発明の実施形態で言及する４ポートＲＲＵは、４つのポートを備えたＲＲＵ、例えば２Ｔ４Ｒ  ＲＲＵである。本発明の以下の実施形態は全て、２ポートＲＲＵが２Ｔ２Ｒ  ＲＲＵであり、４ポートＲＲＵが２Ｔ４Ｒ  ＲＲＵである例を使用して説明される。
【００３４】
加えて、本発明の実施形態で言及する第１のＲＲＵおよび第２のＲＲＵ（具体的には、２つのポートを備えたＲＲＵおよび４つのポートを備えたＲＲＵ）は、同じ通信ネットワーク用に配置されるＲＲＵであってもよいし、または、異なる通信ネットワーク用に配置されるＲＲＵであってもよい。このことは、本発明の実施形態において特には限定されない。
【００３５】
１Ｔ２Ｒ  ＲＲＵは、１つの受信ポートと２つの送信ポートとを備えたＲＲＵである。１Ｔ２Ｒ  ＲＲＵは、２つのポートを含む。２つのポートのうちの一方は、データ受信およびデータ送信の機能を有する。他方のポートは、データ受信機能のみを有し、データ送信機能は有していない。
【００３６】
２Ｔ２Ｒ  ＲＲＵは、２つの受信ポートと２つの送信ポートとを備えたＲＲＵである。図１の左側のＲＲＵ１を参照すると、２Ｔ２Ｒ  ＲＲＵは２つのポートを含んでいることが分かる。２つのポートは各々、データ受信機能およびデータ送信機能を有する。
【００３７】
２Ｔ４Ｒ  ＲＲＵは、４つの受信ポートと２つの送信ポートとを備えたＲＲＵである。図１の右側のＲＲＵ２を参照すると、２Ｔ４Ｒ  ＲＲＵは４つのポートを含んでいることが分かる。ＲＲＵ２の左端のポートおよび右端のポートは各々、データ受信機能およびデータ送信機能を有する。ＲＲＵ２の中間の２つのポートは、データ受信機能のみを有し、データ送信機能は有していない。
【００３８】
本発明の実施形態は、アンテナ給電システムを提供する。それにより分岐タワーマウントアンプがアンテナユニット側に追加され、その結果、４ポートＲＲＵの機能が実装され、ネットワークカバレッジが確保され、ネットワーク性能が向上する。
【００３９】
アンテナ給電システムとは、アンテナが電磁波を周囲空間に放射するシステムであることに留意されたい。タワーマウントアンプは、タワー搭載増幅器とも称されてよく、タワーにおいて受信アンテナの後方に近接して取り付けられた低ノイズアンプである。
【００４０】
本発明の実施形態において説明されるとき、アンテナユニットのポートおよびＲＲＵのポートには番号が付されることに、さらに留意されたい。そのような番号は、本発明の実施形態のアンテナユニットのポートとＲＲＵのポートと分岐タワーマウントアンプと間の接続関係についての理解を促すことが意図されているに過ぎず、限定とはならない。アンテナユニット、ＲＲＵ、および分岐タワーマウントアンプの製造業者が、アンテナユニット、ＲＲＵ、および分岐タワーマウントアンプに番号を付してもよい。このことは、本発明の実施形態において特には限定されない。
【００４１】
本発明の実施形態において提供される技術的解決手段を、以下で詳細に説明する。
【００４２】
図３は、本発明の実施形態に係る分岐タワーマウントアンプの概略構造図である。分岐タワーマウントアンプは、第１のフィルタモジュール１０、第２のフィルタモジュール１１、第１の増幅モジュール１２、第２の増幅モジュール１３、制御モジュール１４、第１の分岐モジュール１５、および第２の分岐モジュール１６を備える。第１のフィルタモジュール１０は、第１の増幅モジュール１２に接続される。第１の増幅モジュール１２は、制御モジュール１４に接続される。制御モジュール１４は、第２の増幅モジュール１３に接続される。第２の増幅モジュール１３は、第２のフィルタモジュール１１に接続される。第１の分岐モジュール１５は、第１のフィルタモジュール１０と第１の増幅モジュール１２との両方に接続され、第２の分岐モジュール１６は、第２のフィルタモジュール１１と第２の増幅モジュール１３との両方に接続される。第１の分岐モジュール１５および第２の分岐モジュール１６はどちらも、信号を送信するよう構成される。
【００４３】
具体的に、図４は、本発明の実施形態に係る別の分岐タワーマウントアンプの概略構造図である。第１のフィルタモジュール１０は、第１の送信フィルタＴＸ１、第１の受信フロントエンドフィルタＲＸ１、および第１の受信バックエンドフィルタＲＸ２を有する。第１の送信フィルタＴＸ１の一端は、第１の受信フロントエンドフィルタＲＸ１の一端に接続される。 第１の受信バックエンドフィルタＲＸ２の一端は、第１の送信フィルタの他端に接続される。
【００４４】
第１の増幅モジュール１２は、第１の低ノイズアンプＬＮＡ１を有する。第１の低ノイズアンプＬＮＡ１の第１端は、第１の受信フロントエンドフィルタＲＸ１の他端に接続される。第１の低ノイズアンプＬＮＡ１の第２端は、第１の受信バックエンドフィルタＲＸ２の他端に接続される。
【００４５】
第２のフィルタモジュール１１は、第２の送信フィルタＴＸ２、第２の受信フロントエンドフィルタＲＸ３、および第２の受信バックエンドフィルタＲＸ４を有する。第２の送信フィルタＴＸ２の一端は、第２の受信フロントエンドフィルタＲＸ３の一端に接続される。第２の受信バックエンドフィルタＲＸ４の一端は、第２の送信フィルタの他端に接続される。
【００４６】
第２の増幅モジュール１３は、第２の低ノイズアンプＬＮＡ２を有する。第２の低ノイズアンプＬＮＡ２の第１端は、第２の受信フロントエンドフィルタＲＸ３の他端に接続される。第２の低ノイズアンプＬＮＡ２の第２端は、第２の受信バックエンドフィルタＲＸ４の他端に接続される。
【００４７】
制御モジュール１４は、第１の低ノイズアンプＬＮＡ１の第３端と第２の低ノイズアンプＬＮＡ２の第３端との両方に接続される。
【００４８】
制御モジュール１４は、制御回路／通信（Ｃｏｎｔｒｏｌ  Ｃｉｒｃｕｉｔ／Ｃｏｍｍｕｎｉｃａｔｉｏｎ）モジュールとも称されてよいことに留意されたい。具体的には、制御モジュール１４は、マイクロ制御ユニット（Ｍｉｃｒｏｃｏｎｔｒｏｌｌｅｒ  Ｕｎｉｔ、ＭＣＵ）、落雷保護ユニット、および、遠隔電気チルト（ＲＥＴ）アンテナポートを有してよい。
【００４９】
第１の分岐モジュール１５は、信号送信用の一経路である。
【００５０】
第２の分岐モジュール１６は、信号送信用の別の経路である。
【００５１】
第１のフィルタモジュール１０および第２のフィルタモジュール１１は、分岐タワーマウントアンプにおける受信信号のループ正帰還を防ぐべく、送信信号および受信信号に対して結合／分割処理を行い、第１の低ノイズアンプＬＮＡ１および第２の低ノイズアンプＬＮＡ２に送信信号の周波数帯域の抑制度を提供するよう構成されていることに留意されたい。
【００５２】
第１の増幅モジュール１２および第２の増幅モジュール１３は、受信信号を増幅するよう構成される。
【００５３】
制御モジュール１４は、基地局と通信し、外部デバイス（すなわち、分岐タワーマウントアンプ以外のデバイス）がＲＥＴポートを介して分岐タワーマウントアンプに供給する直流電力を受け取り（図４において制御モジュール１４から引き出された曲線によって示されるように）、第１の低ノイズアンプＬＮＡ１および第２の低ノイズアンプＬＮＡ２のために検出および警告を実装するよう構成される。加えて、制御モジュール１４が落雷保護ユニットを有するとき、制御モジュール１４は、分岐タワーマウントアンプに落雷保護機能をさらに提供してよい。
【００５４】
ＣＤＭＡネットワークおよびＬＴＥネットワーク用に共通に配置されたアンテナ給電システムに当該タワーマウントアンプが適用されるとき、分岐タワーマウントアンプの第１の分岐モジュールおよび第２の分岐モジュールは、ＬＴＥネットワークにおいて使用される４ポートＲＲＵの、元々は使用されていない２つのポートに接続されてよく、それによって、ＬＴＥネットワークにおいて使用される４ポートＲＲＵの全てのポートが受信機能および／または送信機能を実装できることが分かる。具体的には、以下の実施形態が、分岐タワーマウントアンプの第１の分岐モジュールおよび第２の分岐モジュールが、ＬＴＥネットワークにおいて使用される４ポートＲＲＵの２つのポートに接続される構造について詳細に説明する。簡潔にするために、ここでは詳細は説明しない。
【００５５】
さらに、図４に関連して、図５に示すように、第１の低ノイズアンプＬＮＡ１の第１端は、第１の低ノイズアンプＬＮＡ１の第２端に接続されてよく、第２の低ノイズアンプＬＮＡ２の第１端は、第２の低ノイズアンプＬＮＡ２の第２端に接続されてよい。このようにして、第１の低ノイズアンプＬＮＡ１および／または第２の低ノイズアンプＬＮＡ２が故障したとしても、本発明のこの実施形態において提供される分岐タワーマウントアンプは適切に動作でき、それによってネットワークシステムの安定性が確保される。
【００５６】
本発明のこの実施形態は、分岐タワーマウントアンプを提供する。分岐タワーマウントアンプは、第１のフィルタモジュール、第２のフィルタモジュール、第１の増幅モジュール、第２の増幅モジュール、および制御モジュールを備える。第１のフィルタモジュールは、第１の増幅モジュールに接続される。第１の増幅モジュールは、制御モジュールに接続される。制御モジュールは、第２の増幅モジュールに接続される。第２の増幅モジュールは、第２のフィルタモジュールに接続される。分岐タワーマウントアンプは、第１のフィルタモジュールおよび第１の増幅モジュールの両方に接続された第１の分岐モジュールと、第２のフィルタモジュールおよび第２の増幅モジュールの両方に接続された第２の分岐モジュールとをさらに備える。先述の実施形態の説明に基づいて、既存のタワーマウントアンプを基にして、受信信号を送信するよう構成される第１の分岐モジュールおよび第２の分岐モジュールが、本発明のこの実施形態において提供される分岐タワーマウントアンプに追加されることが分かる。したがって、ＣＤＭＡネットワークおよびＬＴＥネットワーク用に共通に配置されたアンテナ給電システムに当該タワーマウントアンプが適用されるとき、分岐タワーマウントアンプの第１の分岐モジュールおよび第２の分岐モジュールは、ＬＴＥネットワークにおいて使用される４ポートＲＲＵの、元々は使用されていない２つのポートに接続されてよく、それによって、ＬＴＥネットワークにおいて使用される４ポートＲＲＵの全てのポートが受信機能および／または送信機能を実装することができる。加えて、本発明のこの実施形態において提供される分岐タワーマウントアンプでは、受信信号はまず増幅され、その後分割されるので、アンテナ給電システムに余計な挿入損失をもたらさない。これによって、ネットワークカバレッジが確保され、ネットワーク性能が向上する。
【００５７】
本発明の実施形態は、アンテナ給電システムをさらに提供する。アンテナ給電システムは、４つのポートを備えたアンテナユニット、第１のＲＲＵ、第２のＲＲＵ、および、先述の特徴のいずれか１つを備えた分岐タワーマウントアンプを備える。第１のＲＲＵは２つのポートを有し、第２のＲＲＵは４つのポートを有する。第１のＲＲＵがＣＤＭＡネットワーク用に配置された２Ｔ２Ｒ  ＲＲＵであり、第２のＲＲＵがＬＴＥネットワーク用に配置された２Ｔ４Ｒ  ＲＲＵである例を使用して、本発明のこの実施形態において提供されるアンテナ給電システムを以下で説明する。
【００５８】
例１．分岐タワーマウントアンプがＣＤＭＡネットワークのポートに取り付けられ、２Ｔ４Ｒ  ＲＲＵと２Ｔ２Ｒ  ＲＲＵとがアンテナユニットの比較的近くにある場合、分岐タワーマウントアンプの制御モジュールの遠隔電気チルトＲＥＴアンテナポートに２Ｔ４Ｒ  ＲＲＵがさらに接続されて、電力が分岐タワーマウントアンプに供給される。具体的には、アンテナ給電システムの概略構造図を図６に示す。
【００５９】
図６から分かるように、２Ｔ２Ｒ  ＲＲＵの第１のポートＡは、分岐タワーマウントアンプの第１のフィルタモジュール（図６には図示されていない）に接続され、２Ｔ２Ｒ  ＲＲＵの第２のポートＢは、分岐タワーマウントアンプの第２のフィルタモジュール（図６には図示されていない）に接続され、２Ｔ４Ｒ  ＲＲＵの第１のポートＡは、アンテナユニットの第１のポートＡに接続され、２Ｔ４Ｒ  ＲＲＵの第２のポートＢは、アンテナユニットの第２のポートＢに接続され、アンテナユニットの第３のポートＣは、分岐タワーマウントアンプの第１のフィルタモジュール（図６には図示されていない）に接続され、アンテナユニットの第４のポートＤは、分岐タワーマウントアンプの第２のフィルタモジュール（図６には図示されていない）に接続され、分岐タワーマウントアンプの第１の分岐モジュール（図６には図示されていない）は、２Ｔ４Ｒ  ＲＲＵの第３のポートＣに接続され、分岐タワーマウントアンプの第２の分岐モジュール（図６には図示されていない）は、２Ｔ４Ｒ  ＲＲＵの第４のポートＤに接続される。
【００６０】
図６を参照して、分岐タワーマウントアンプと、ＲＲＵおよびアンテナユニットとの間の局所的接続の図が図７に示されている。図７から分かるように、２Ｔ２Ｒ  ＲＲＵの第１のポートＡは分岐タワーマウントアンプの第１の送信フィルタＴＸ１の一端に接続され、２Ｔ２Ｒ  ＲＲＵの第２のポートＢは、分岐タワーマウントアンプの第２の送信フィルタＴＸ２の一端に接続され、アンテナユニットの第３のポートＣは、分岐タワーマウントアンプの第１の送信フィルタＴＸ１の他端と分岐タワーマウントアンプの第１の受信フロントエンドフィルタＲＸ１の一端とに接続され、アンテナユニットの第４のポートＤは、分岐タワーマウントアンプの第２の送信フィルタＴＸ２の他端と分岐タワーマウントアンプの第２の受信フロントエンドフィルタＲＸ３の一端とに接続され、分岐タワーマウントアンプの第１の分岐モジュールは、２Ｔ４Ｒ  ＲＲＵの第３のポートＣに接続され、分岐タワーマウントアンプの第２の分岐モジュールは、２Ｔ４Ｒ  ＲＲＵの第４のポートＤに接続される。
【００６１】
分岐タワーマウントアンプの第１の分岐モジュールおよび第２の分岐モジュールは、信号送信用の経路である。したがって、実際の適用において、２Ｔ４Ｒ  ＲＲＵの第３のポートＣは、第１の低ノイズアンプＬＮＡ１の第２端に接続され、２Ｔ４Ｒ  ＲＲＵの第４のポートＤは、第２の低ノイズアンプＬＮＡ２の第２端に接続される。
【００６２】
例２．分岐タワーマウントアンプがＣＤＭＡネットワークのポートに取り付けられ、２Ｔ４Ｒ  ＲＲＵと２Ｔ２Ｒ  ＲＲＵとがアンテナユニットから比較的遠くに離れている場合、アンテナ給電システムはスマートバイアスティＳＢＴをさらに備え、スマートバイアスティＳＢＴがさらに、分岐タワーマウントアンプの制御モジュールの遠隔電気チルトＲＥＴアンテナポートに接続されて、電力が分岐タワーマウントアンプに供給される。具体的には、アンテナ給電システムの概略構造図を図８に示す。
【００６３】
図８から分かるように、２Ｔ２Ｒ  ＲＲＵの第１のポートＡは分岐タワーマウントアンプの第１のフィルタモジュール（図８には図示されていない）に接続され、２Ｔ２Ｒ  ＲＲＵの第２のポートＢは、分岐タワーマウントアンプの第２のフィルタモジュール（図８には図示されていない）に接続され、２Ｔ４Ｒ  ＲＲＵの第１のポートＡは、アンテナユニットの第１のポートＡに接続され、２Ｔ４Ｒ  ＲＲＵの第２のポートＢは、ＳＢＴの一端に接続され、ＳＢＴの他端は、アンテナユニットの第２のポートＢに接続され、アンテナユニットの第３のポートＣは、分岐タワーマウントアンプの第１のフィルタモジュール（図８には図示されていない）に接続され、アンテナユニットの第４のポートＤは、分岐タワーマウントアンプの第２のフィルタモジュール（図８には図示されていない）に接続され、分岐タワーマウントアンプの第１の分岐モジュール（図８には図示されていない）は、２Ｔ４Ｒ  ＲＲＵの第３のポートＣに接続され、分岐タワーマウントアンプの第２の分岐モジュール（図８には図示されていない）は、２Ｔ４Ｒ  ＲＲＵの第４のポートＤに接続される。
【００６４】
具体的には、分岐タワーマウントアンプと、ＲＲＵおよびアンテナユニットとの間の局所的接続関係は、例１で説明した分岐タワーマウントアンプとＲＲＵおよびアンテナユニットとの間の局所的接続関係と同様である。簡潔にするために、詳細はここでは再度説明しない。
【００６５】
本発明のこの実施形態において提供されるアンテナ給電システムでは、ＬＴＥネットワーク用に配置されたＲＲＵとＣＤＭＡネットワーク用に配置されたＲＲＵとにアンテナユニットが受信信号を送信するとき、受信信号は、アンテナユニットの第３のポートＣおよびアンテナユニットの第４のポートＤを介して分岐タワーマウントアンプに送信され、受信信号は、第１の受信フロントエンドフィルタＲＸ１および第２の受信フロントエンドフィルタＲＸ３を使用してフィルタ処理され、その後第１の低ノイズアンプＬＮＡ１および第２の低ノイズアンプＬＮＡ２を使用して増幅されることが分かる。その後、第１の低ノイズアンプＬＮＡ１によって増幅された受信信号は分割され、２Ｔ２Ｒ  ＲＲＵの第１のポートＡおよび２Ｔ４Ｒ  ＲＲＵの第３のポートＣを介して別々に送信され、第２の低ノイズアンプＬＮＡ２によって増幅された受信信号は分割され、２Ｔ２Ｒ  ＲＲＵの第２のポートＢおよび２Ｔ４Ｒ  ＲＲＵの第４のポートＤを介して別々に送信される。このようにして、２Ｔ４Ｒ  ＲＲＵの４つの受信ポートの各々は受信信号を受信でき、それによって２Ｔ４Ｒ  ＲＲＵの機能が実装される。加えて、受信信号はまず増幅され、その後分割されるので、アンテナ給電システムに余計な挿入損失をもたらさない。
【００６６】
本発明のこの実施形態は、アンテナ給電システムを提供する。アンテナ給電システムは、４つのポートを備えたアンテナユニット、第１のＲＲＵ、第２のＲＲＵ、および、先述の特徴のいずれか１つを備えた分岐タワーマウントアンプを備える。第１のＲＲＵは２つのポートを有し、第２のＲＲＵは４つのポートを有する。先述の実施形態の説明に基づいて、既存のタワーマウントアンプを基にして、受信信号を送信するよう構成される第１の分岐モジュールおよび第２の分岐モジュールが、本発明のこの実施形態において提供される分岐タワーマウントアンプに追加されることが分かる。したがって、ＣＤＭＡネットワークおよびＬＴＥネットワーク用に共通に配置されたアンテナ給電システムに当該タワーマウントアンプが適用されるとき、分岐タワーマウントアンプの第１の分岐モジュールおよび第２の分岐モジュールは、ＬＴＥネットワークにおいて使用される４ポートＲＲＵの、元々は使用されていない２つのポートに接続されてよく、それによって、ＬＴＥネットワークにおいて使用される４ポートＲＲＵの全てのポートが受信機能および／または送信機能を実装することができる。加えて、本発明のこの実施形態において提供される分岐タワーマウントアンプでは、受信信号はまず増幅され、その後分割されるので、アンテナ給電システムに余計な挿入損失をもたらさない。これによって、ネットワークカバレッジが確保され、ネットワーク性能が向上する。
【００６７】
先述の説明は、本発明の実施形態の特定の実装例に過ぎず、本発明の実施形態の保護範囲を限定することは意図されていない。当業者によって容易に考案された、本発明の実施形態に開示の技術範囲内のいずれの変更または置き換えも本発明の実施形態の保護範囲に含まれるものとする。したがって、本発明の実施形態の保護範囲は、請求項の保護範囲にしたがうものとする。
【図１】
2020503770.tif 000003
【図２】
2020503770.tif 000004
【図３】
2020503770.tif 000005
【図４】
2020503770.tif 000006
【図５】
2020503770.tif 000007
【図６】
2020503770.tif 000008
【図７】
2020503770.tif 000009
【図８】
2020503770.tif 000010
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
分岐タワーマウントアンプであって、
前記分岐タワーマウントアンプは、第１のフィルタモジュール、第２のフィルタモジュール、第１の増幅モジュール、第２の増幅モジュール、および制御モジュールを備え、前記第１のフィルタモジュールは、前記第１の増幅モジュールに接続され、前記第１の増幅モジュールは、前記制御モジュールに接続され、前記制御モジュールは、前記第２の増幅モジュールに接続され、前記第２の増幅モジュールは、前記第２のフィルタモジュールに接続され、
前記分岐タワーマウントアンプは、
前記第１のフィルタモジュールおよび前記第１の増幅モジュールの両方に接続された第１の分岐モジュールと、前記第２のフィルタモジュールおよび前記第２の増幅モジュールの両方に接続された第２の分岐モジュールとをさらに備え、
前記第１の分岐モジュールおよび前記第２の分岐モジュールはどちらも、信号を送信するよう構成される、
分岐タワーマウントアンプ。
【請求項２】
前記第１のフィルタモジュールは、第１の送信フィルタ、第１の受信フロントエンドフィルタ、および第１の受信バックエンドフィルタを有し、前記第１の送信フィルタの一端は前記第１の受信フロントエンドフィルタの一端に接続され、前記第１の受信バックエンドフィルタの一端は、前記第１の送信フィルタの他端に接続され、
前記第１の増幅モジュールは、第１の低ノイズアンプを有し、前記第１の低ノイズアンプの第１端は、前記第１の受信フロントエンドフィルタの他端に接続され、前記第１の低ノイズアンプの第２端は、前記第１の受信バックエンドフィルタの他端に接続され、
前記第２のフィルタモジュールは、第２の送信フィルタ、第２の受信フロントエンドフィルタ、および第２の受信バックエンドフィルタを有し、前記第２の送信フィルタの一端は、前記第２の受信フロントエンドフィルタの一端に接続され、前記第２の受信バックエンドフィルタの一端は、前記第２の送信フィルタの他端に接続され、
前記第２の増幅モジュールは、第２の低ノイズアンプを有し、前記第２の低ノイズアンプの第１端は、前記第２の受信フロントエンドフィルタの他端に接続され、前記第２の低ノイズアンプの第２端は、前記第２の受信バックエンドフィルタの他端に接続され、
前記制御モジュールは、前記第１の低ノイズアンプの第３端および前記第２の低ノイズアンプの第３端の両方に接続される、
請求項１に記載の分岐タワーマウントアンプ。
【請求項３】
前記第１の分岐モジュールは、信号送信用の一経路であり、前記第２の分岐モジュールは、信号送信用の別の経路である、
請求項１または２に記載の分岐タワーマウントアンプ。
【請求項４】
前記第１の低ノイズアンプの前記第１端は、前記第１の低ノイズアンプの前記第２端に接続され、前記第２の低ノイズアンプの前記第１端は、前記第２の低ノイズアンプの前記第２端に接続される、
請求項２に記載の分岐タワーマウントアンプ。
【請求項５】
アンテナ給電システムであって、前記アンテナ給電システムは、４つのポートを備えたアンテナユニットと、第１の無線遠隔ユニット（ＲＲＵ）と、前記アンテナユニットに接続された第２のＲＲＵと、前記アンテナユニット、前記第１のＲＲＵ、および前記第２のＲＲＵの各々に接続された、請求項１から４のいずれか一項に記載の分岐タワーマウントアンプとを備え、前記第１のＲＲＵは２つのポートを有し、前記第２のＲＲＵは４つのポートを有する、
アンテナ給電システム。
【請求項６】
前記第１のＲＲＵの第１のポートは、前記分岐タワーマウントアンプの第１のフィルタモジュールに接続され、前記第１のＲＲＵの第２のポートは、前記分岐タワーマウントアンプの第２のフィルタモジュールに接続され、前記第２のＲＲＵの第１のポートは、前記アンテナユニットの第１のポートに接続され、前記第２のＲＲＵの第２のポートは、前記アンテナユニットの第２のポートに接続され、前記アンテナユニットの第３のポートは、前記分岐タワーマウントアンプの前記第１のフィルタモジュールに接続され、前記アンテナユニットの第４のポートは、前記分岐タワーマウントアンプの前記第２のフィルタモジュールに接続され、前記分岐タワーマウントアンプの第１の分岐モジュールは、前記第２のＲＲＵの第３のポートに接続され、前記分岐タワーマウントアンプの第２の分岐モジュールは、前記第２のＲＲＵの第４のポートに接続される、
請求項５に記載のアンテナ給電システム。
【請求項７】
前記第２のＲＲＵがさらに前記分岐タワーマウントアンプの制御モジュールに接続されて、前記分岐タワーマウントアンプに電力が供給される、
請求項６に記載のアンテナ給電システム。
【請求項８】
前記アンテナ給電システムは、スマートバイアスティ（ＳＢＴ）をさらに備え、
前記第１のＲＲＵの第１のポートは、前記分岐タワーマウントアンプの第１のフィルタモジュールに接続され、前記第１のＲＲＵの第２のポートは、前記分岐タワーマウントアンプの第２のフィルタモジュールに接続され、前記第２のＲＲＵの第１のポートは、前記アンテナユニットの第１のポートに接続され、前記第２のＲＲＵの第２のポートは、前記ＳＢＴの一端に接続され、前記ＳＢＴの他端は、前記アンテナユニットの第２のポートに接続され、前記アンテナユニットの第３のポートは、前記分岐タワーマウントアンプの前記第１のフィルタモジュールに接続され、前記アンテナユニットの第４のポートは、前記分岐タワーマウントアンプの前記第２のフィルタモジュールに接続され、前記分岐タワーマウントアンプの第１の分岐モジュールは、前記第２のＲＲＵの第３のポートに接続され、前記分岐タワーマウントアンプの第２の分岐モジュールは、前記第２のＲＲＵの第４のポートに接続される、
請求項５に記載のアンテナ給電システム。
【請求項９】
前記ＳＢＴがさらに前記分岐タワーマウントアンプの制御モジュールに接続されて、前記分岐タワーマウントアンプに電力が供給される、
請求項８に記載のアンテナ給電システム。
【手続補正２】
【補正対象書類名】明細書
【補正対象項目名】０００２
【補正方法】変更
【補正の内容】
【０００２】
通信技術が絶え間なく発展するにつれて、通信ネットワークは、モバイル通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ（登録商標））ネットワークから、符号分割多重アクセス（Ｃｏｄｅ  Ｄｉｖｉｓｉｏｎ  Ｍｕｌｔｉｐｌｅ  Ａｃｃｅｓ、ＣＤＭＡ）ネットワーク、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ（登録商標））ネットワーク、汎用パケット無線サービス（Ｇｅｎｅｒａｌ  Ｐａｃｋｅｔ  Ｒａｄｉｏ  Ｓｅｒｖｉｃｅ、ＧＰＲＳ）ネットワーク、ロングタームエボリューション（Ｌｏｎｇ  Ｔｅｒｍ  Ｅｖｏｌｕｔｉｏｎ、ＬＴＥ）ネットワーク、および、ユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）ネットワークなどへのいくつかの世代にわたるネットワーク変換を経てきた。ネットワーク変換の過程においては、現世代のネットワークおよび次世代のネットワークが共存することがある。例えば、ＣＤＭＡネットワークからＬＴＥネットワークへの移行過程において、ＣＤＭＡネットワークの無線周波数モジュールはＬＴＥネットワークをサポートしないので、ネットワークの配置中は、ＣＤＭＡネットワーク用およびＬＴＥネットワーク用として別々に無線周波数モジュール（例えば、無線遠隔ユニット（Ｒａｄｉｏ  Ｒｅｍｏｔｅ  Ｕｎｉｔ、ＲＲＵ））を配置する必要がある。
【手続補正３】
【補正対象書類名】明細書
【補正対象項目名】００３５
【補正方法】変更
【補正の内容】
【００３５】
１Ｔ２Ｒ  ＲＲＵは、２つの受信ポートと１つの送信ポートとを備えたＲＲＵである。１Ｔ２Ｒ  ＲＲＵは、２つのポートを含む。２つのポートのうちの一方は、データ受信およびデータ送信の機能を有する。他方のポートは、データ受信機能のみを有し、データ送信機能は有していない。
【国際調査報告】
2020503770.tif 000011
2020503770.tif 000012
2020503770.tif 000013
2020503770.tif 000014